(57)【要約】【解決手段】洋鋏の把持部８，９において、刃体３，４を取着した基部１０に対し指掛環１１は弾性変形し易い連結部１２を介して連結されている。従って、手指の大きさや使い方の異なる使用者に応じて、使用者の使い勝手を考慮した任意の設計により指掛環１１の感触や操作性を維持した場合にも、基部１０に対する指掛環１１の動きを連結部１２により維持したまま、指掛環１１に触れた指の感触や操作性に変化を持たせることができる。基部１０の係止孔１４と刃体３，４の係止孔とにロックピン２１を挿着し、その係止孔１４の蓋孔にも連結部１２の樹脂を充填してロックピン２１の頭部を蓋部３２で閉塞したので、ロックピン２１を押して蓋部３２を蓋孔から舌片状にめくり上げれば、ロックピン２１を係止孔１４から離脱させて、把持部８，９と刃体３，４とを互いに分離して分別廃棄することができる。【効果】より一層使い勝手を良くすることができる。【選択図】図１
2011182820.tif 000002
【特許請求の範囲】
【請求項１】
機能部を取着した基部に対し指当部を変態可能な連結部で連結した把持部を有する柄を備えたことを特徴とする手動利器。
【請求項２】
前記連結部は弾性体で成形されていることを特徴とする請求項１に記載の手動利器。
【請求項３】
請求項１または請求項２に記載の手動利器は、開閉可能に支持した一対の刀身を備えた鋏であって、それぞれの刀身には前記機能部としての刃体とその刃体に取着した前記把持部とを設けたことを特徴とする手動利器。
【請求項４】
前記指当部は指掛環であって、前記連結部は基部と指掛環との間でその基部及び指掛環に沿って成形された介在部を有し、この基部と介在部と指掛環とが順次並んでいることを特徴とする請求項３に記載の手動利器。
【請求項５】
互いに分離して成形した基部と指当部とを金型のキャビティにセットし、そのキャビティに成形材を注入して、機能部を取着する基部に対し指当部を変態可能な連結部で連結した把持部を設けることを特徴とする手動利器の柄の製造方法。
【発明の詳細な説明】
【技術分野】
【０００１】
本発明は、鋏などの手動利器、並びに、その手動利器の柄の製造方法に関するものである。
【背景技術】
【０００２】
従来、下記特許文献１にかかる鋏の柄では、金属製の刃体の基端部に樹脂製の基部が取着され、この基部に設けられた樹脂製の内側把持環内に樹脂製の外側把持環が取着されている。この外側把持環は内側把持環よりも軟質の樹脂により成形されている。
【先行技術文献】
【特許文献】
【０００３】
【特許文献１】実開平４−７７８６９号公報
【発明の概要】
【発明が解決しようとする課題】
【０００４】
上記特許文献１にかかる鋏の柄では、刃体の基端部が取着される基部に設けられた内側把持環については強度を必要とする一方で、内側把持環内に取着された外側把持環については触れた指の感触や操作性を良くするために軟質樹脂により成形している。しかし、軟質樹脂により成形された外側把持環に使用者の指を挿入して使用する際、その外側把持環のうち使用者の指が触れた部分だけが変形してその部分だけに対する指の感触を良くすることはできるが、触れた指の感触や操作性を良くするために外側把持環を軟質樹脂により成形する必要があって、外側把持環の材質に制限があるため、外側把持環に触れた指の感触や操作性に変化を持たせることは難しい。
【０００５】
この発明は、触れた指の感触や操作性に変化を持たせてより一層使い勝手を良くすることができる鋏などの手動利器、並びに、その手動利器の柄の製造方法を提供することを目的としている。
【課題を解決するための手段】
【０００６】
後記実施形態の図面（図１〜１０）の符号を援用して本発明を説明する。
請求項１の発明にかかる手動利器は、機能部３，４を取着した基部１０に対し指当部１１を変態可能な連結部１２で連結した把持部８，９を有する柄６，７を備えている。ここに「変態」とは、変形または変位など、状態が変わることを意味する。請求項１の発明では、基部１０に対し指当部１１は変態可能な連結部１２を介して連結されているため、使用者の使い勝手を考慮した任意の設計により指当部１１の感触や操作性を維持した場合にも、基部１０に対する指当部１１の動きを連結部１２により維持したまま、指当部１１に触れた指の感触や操作性に変化を持たせてより一層使い勝手を良くすることができる。また、把持部８，９に触れて色々な向きに力を付与しても、基部１０及び指当部１１より変態し易い連結部１２により把持部８，９がその力を和らげることができる。
【０００７】
請求項１の発明を前提とする請求項２の発明において、前記連結部１２は弾性体で成形されている。請求項２の発明では、弾性体である連結部１２により、基部１０に対し指当部１１を弾性復帰させて指当部１１を同じ押圧解除状態で使用することができる。
【０００８】
請求項１または請求項２の発明を前提とする請求項３の発明において、手動利器は開閉可能に支持した一対の刀身１，２を備えた鋏であって、それぞれの刀身１，２には前記機能部としての刃体３，４とその刃体３，４に取着した前記把持部８，９とを設けている。請求項３の発明では、請求項１または請求項２の発明の効果を鋏で発揮させることができる。
【０００９】
請求項３の発明を前提とする請求項４の発明において、前記指当部は指掛環１１であって、前記連結部１２は基部１０と指掛環１１との間でその基部１０及び指掛環１１に沿って成形された介在部２４を有し、この基部１０と介在部２４と指掛環１１とが順次並んでいる。請求項４の発明では、基部１０と指掛環１１との間で連結部１２の介在部２４を基部１０及び指掛環１１に沿って配置して、把持部８，９をコンパクトに設けることができる。
【００１０】
請求項５の発明にかかる手動利器の柄６，７の製造方法においては、互いに分離して成形した基部１０と指当部１１とを金型のキャビティにセットし、そのキャビティに成形材を注入して、機能部３，４を取着する基部１０に対し指当部１１を変態可能な連結部１２で連結した把持部８，９を設ける。請求項５の発明では、機能部３，４を取着した基部１０に対し指当部１１を変態可能な連結部１２で連結した把持部８，９を有する柄６，７を容易に製造することができる。
【００１１】
次に、請求項以外の技術的思想について実施形態の図面の符号を援用して説明する。
請求項１から請求項４のうちいずれか一つの請求項の発明を前提とする第６の発明において、前記連結部１２は基部１０及び指当部１１より硬度の小さい柔軟な材料で成形されている。第６の発明では、基部１０及び指当部１１に対し連結部１２を変態させ易い。
【００１２】
第６の発明を前提とする第７の発明において、前記指当部１１は、基部１０より硬度の小さい柔軟な材料で成形されているか、または、同じ硬度の材料で成形されている。第７の発明では、指当部１１に対する感触を良くすることができる。
【００１３】
請求項１から請求項４のうちいずれか一つの請求項の発明、または第６の発明または第７の発明を前提とする第８の発明において、前記基部１０と連結部１２と指当部１１とはそれぞれ樹脂で成形されている。第８の発明では、基部１０と連結部１２と指当部１１とを容易に成形することができるとともに、基部１０と連結部１２と指当部１１とを変態させ易い。
【００１４】
請求項３または請求項４の発明を前提とする第９の発明にかかる鋏の両刀身１，２において、刃体３，４は開閉中心部５で開閉可能に支持され、把持部８，９はその開閉中心部５より基端側で刃体３，４に取着されている。第９の発明では、請求項３または請求項４の発明の効果を洋鋏で発揮させることができる。
【００１５】
第９の発明を前提とする第１０の発明において、前記連結部１２は基部１０と指当部１１との間でその基部１０及び指当部１１に沿って成形された一部分２４を有している。第１０の発明では、基部１０と指当部１１との間で連結部１２の一部分２４を基部１０及び指当部１１に沿って配置して、把持部８，９をコンパクトに設けることができる。
【００１６】
第１０の発明を前提とする第１１の発明において、前記指当部１１の厚み方向両面間範囲に連結部１２の厚み方向両面を配置して、その指当部１１と連結部１２との間で段差部２８を形成している。第１１の発明では、連結部１２が指当部１１の厚み方向両面から厚み方向へ突出しないため、指当部１１に触れた指が連結部１２に当たりにくくなって指当部１１に対する操作性を良くすることができる。
【００１７】
第１０の発明または第１１の発明を前提とする第１２の発明において、前記指当部は指掛環１１であって、前記連結部１２は指掛環１１の外周全体でその指掛環１１に沿って成形されている。第１２の発明では、指掛環１１の外周全体にある連結部１２により、指掛環１１に対する感触を良くすることができる。
【００１８】
第１０の発明または第１１の発明を前提とする第１３の発明において、前記指当部は指掛環１１であって、前記連結部１２は、基部１０と指掛環１１との間でその基部１０及び指掛環１１に沿って成形された内側部分２４と、その内側部分２４に対する反対側で指掛環に沿って成形された外側部分２５とを有し、この基部１０と内側部分２４と指掛環１１と外側部分２５とが順次並んでいる。第１３の発明では、基部１０と指掛環１１との間で連結部１２の内側部分２４を基部１０及び指掛環１１に沿って配置して把持部８，９をコンパクトに設けることができるとともに、指掛環１１にある連結部１２の外側部分２５により指掛環１１に対する感触を良くすることができる。
【００１９】
請求項４の発明または第１２の発明または第１３の発明を前提とする第１４の発明において、前記連結部１２は指掛部２７ａ，２９を有している。第１４の発明では、連結部１２の指掛部２７ａ，２９に指を当てがってより一層使い勝手を良くすることができる。
【００２０】
請求項４の発明、または第１２〜１４の発明のうちいずれか一つの発明を前提とする第１５の発明において、前記連結部１２は薄肉部３１を有している。第１５の発明では、薄肉部３１により連結部１２を変態させ易い。
【００２１】
請求項４の発明、または第９〜１５の発明のうちいずれか一つの発明を前提とする第１６の発明において、前記把持部８，９の基部１０は刃体３，４に対しロック手段１４，１９，２１，３２により取着されている。第１６の発明では、ロック手段１４，１９，２１，３２により刃体３，４に対する基部１０の離脱を抑制することができる。
【００２２】
第１６の発明を前提とする第１７の発明において、前記ロック手段は基部１０を刃体３，４に取着するロック部材２１を有し、前記連結部１２は、刃体３，４に対する基部１０の離脱を抑制するようにロック部材２１に対し係合する抑制部３２を有している。第１７の発明では、ロック部材２１に係合する抑制部３２を連結部１２に設けて刃体３，４に対する基部１０の離脱を抑制することができる。
【００２３】
第１６の発明を前提とする第１８の発明において、前記ロック手段は、基部１０及び刃体３，４に形成した係止孔１４，１９と、その係止孔１４，１９に挿着したロックピン２１とを有している。第１８の発明では、係止孔１４，１９とロックピン２１とによる簡単なロック手段により刃体３，４に対する基部１０の離脱を抑制することができる。
【００２４】
第１８の発明を前提とする第１９の発明において、前記連結部１２は、ロックピン２１の両端部のうち少なくとも一端部側を被覆して刃体３，４に対する基部１０の離脱を抑制する抑制部３２を有している。第１９の発明では、ロックピン２１の少なくとも一端部側を被覆して基部１０に対するロックピン２１の離脱を連結部１２の抑制部３２により抑制することにより、刃体３，４に対する基部１０の離脱を抑制することができる。
【発明の効果】
【００２５】
本発明は、触れた指の感触や操作性に変化を持たせてより一層使い勝手を良くすることができる鋏などの手動利器、並びに、その手動利器の柄６，７の製造方法を提供することができる。
【図面の簡単な説明】
【００２６】
【図１】（ａ）は本実施形態にかかる洋鋏において両刀身を互いに組み付けた状態を示す正面図であり、（ｂ）は（ａ）のＡ−Ａ線断面図であり、（ｃ）は（ａ）のＢ−Ｂ線断面図である。
【図２】（ａ）（ｂ）は上記両刀身の把持部において刃体が取着される基部を示す斜視図であり、（ｃ）はその基部の断面図である。
【図３】（ａ）（ｂ）は上記両刀身において刃体を示す斜視図である。
【図４】（ａ）（ｂ）は上記刃体を把持部の基部に挿入した状態を示す斜視図であり、（ｃ）はその基部の断面図である。
【図５】（ａ）（ｂ）は上記刃体を基部に固定するロックピンを示す斜視図である。
【図６】（ａ）（ｂ）は上記刃体を基部に固定した状態を示す斜視図であり、（ｃ）はその基部の断面図である。
【図７】（ａ）（ｂ）は上記両刀身の把持部において指掛環を示す斜視図である。
【図８】（ａ）（ｂ）は上記両刀身の把持部において互いに分離して成形した基部と指掛環とを金型にセットする状態を示す斜視図である。
【図９】（ａ）（ｂ）は上記両刀身の把持部において基部と指掛環とを連結部により連結した状態を示す斜視図であり、（ｃ）（ｄ）はその把持部の断面図である。
【図１０】（ａ）（ｂ）はそれぞれ上記両刀身において把持部と刃体とを分離する途中状態を示す部分断面図であり、（ｃ）は同じくそれらの分離状態を斜視図である。
【発明を実施するための形態】
【００２７】
以下、本発明の一実施形態について図面を参照して説明する。
図１（ａ）に示すように、手動利器である洋鋏は一対の刀身１，２を備え、それぞれの刀身１，２においては、機能部としての刃体３，４が開閉中心部５（回動中心５ａ）で回動可能に支持され、その開閉中心部５より基端側で刃体３，４に取着された把持部８，９を有する柄６，７が設けられている。それぞれの把持部８，９は、刃体３，４の基端部３ａ，４ａが挿着された基部１０と、指当部としての指掛環１１と、その基部１０に対し指掛環１１を連結する連結部１２とを有している。
【００２８】
図２に示す前記基部１０は、樹脂により一体成形され、前記開閉中心部５の回動中心線５ａに沿う方向の両側で上端部１０ｅ側から下端部１０ｆ側へ延びる外面１０ａ，１０ｂと、この回動中心線５ａに直交する方向の両側で上端部１０ｅ側から下端部１０ｆ側へ延びる外面１０ｃ，１０ｄとを有している。この基部１０内には前記刃体３，４の基端部３ａ，４ａを挿着するための支持孔１３が上端部１０ｅから下端部１０ｆ側へ延びるように形成されて上端部１０ｅで外側へ開放されている。この基部１０の上端部１０ｅには支持孔１３を貫通する係止孔１４が両外面１０ａ，１０ｂ間で形成されている。この係止孔１４の一端部側では軸孔１４ａより直径の大きい頭孔１４ｂが形成されているとともにこの頭孔１４ｂより直径の大きい蓋孔１４ｃが形成されて外面１０ａの外側へ開放されている。この基部１０の外面１０ｃには突条部１５が上端部１０ｅから下端部１０ｆ側へ延びるように形成されてこの突条部１５の両端部に小孔１５ａが貫設されている。この基部１０の外面１０ｄには上端部１０ｅと下端部１０ｆとの間で当接部１６が突設されている。
【００２９】
図３に示す前記刃体３，４においては、前記開閉中心部５の回動中心孔１７より先端側に刃部１８が形成され、その刃部１８から延設された基端部３ａ，４ａに係止孔１９が貫設されている。この刃部１８の相対向面側には図１（ｃ）に示すように互いに噛み合う刃縁部２０が段差状に形成されている。図示しないが、一対の刃体の素材となる一枚の板をプレスで打抜成形して、その板の長手方向両端部のうち一方の側に一方の基端部形成部分を設けるとともに他方の側に他方の基端部形成部分を設け、それらの基端部形成部分間に刃部形成部分を設けた後、その刃部形成部分をプレス成形して、その刃部形成部分の幅方向中央部に段差状の刃縁部形成部分を互いに隣接して繋いだ状態で設ける。次に、その刃縁部形成部分を打抜成形するか切削加工して幅方向両側で分断し、段差状の刃縁部を有する一対の刃体素材を設けた後、その刃体素材の刃縁部摺接部分を平面研削するとともにその刃縁部を刃付け研削して、前記刃体３，４を成形する。これらの刃体３，４では、段差状の刃縁部２０の相対向摺接面のみが互いに摺接するため、接着剤付きのテープなどを切断した際にその接着剤が刃体３，４に付着しにくい。なお、刃縁部２０に対し反対側になる刃体３，４の背部にも段差部を形成してそれらの段差部も互いに摺接するようにしてもよいが、それらの段差部を省略して段差状の刃縁部２０のみを形成することが好ましい。
【００３０】
図４に示すように、前記刃体３，４の基端部３ａ，４ａは前記基部１０の支持孔１３に対しある程度の摩擦抵抗を持たせて挿着され、その基端部３ａ，４ａの係止孔１９が基部１０の係止孔１４に合致する。図５に示す樹脂製のロックピン２１（ロック部材）は図６に示すようにそれらの係止孔１４，１９に対しある程度の摩擦抵抗を持たせて挿着される。その際、ロックピン２１の軸部２１ａが係止孔１４の軸孔１４ａに挿嵌されて基部１０の外面１０ｂに露出するとともに、ロックピン２１の頭部２１ｂが係止孔１４の頭孔１４ｂに挿嵌されて係止孔１４の蓋孔１４ｃに露出する。
【００３１】
図７に示す前記指掛環１１は、樹脂により一体成形され、指掛孔１１ａを囲う内側部分１１ｂと外側部分１１ｃと上側部分１１ｄと下側部分１１ｅとを有している。指掛環１１の下側部分１１ｅの外周には切欠凹部２２が形成されている。この切欠凹部２２及び内側部分１１ｂを除く指掛環１１の外周には突条部２３が形成されている。
【００３２】
図８に示すように、互いに分離して成形された基部１０と指掛環１１とは、図示しない金型のキャビティに互いに並べられてセットされる。その際、基部１０の外面１０ｃにおける突条部１５が指掛環１１の内側部分１１ｂに対し間隔をあけて面する。そのキャビティに成形材として樹脂を注入すると、図９に示すように、ロックピン２１により刃体３，４に固定された基部１０に対し指掛環１１が前記連結部１２で連結されて前記把持部８，９が設けられる。
【００３３】
この把持部８，９において基部１０と指掛環１１と連結部１２とはいずれも樹脂で成形されてそれらの色は互いに異なる。基部１０及びロックピン２１は共に硬質樹脂（例えばポリプロピレン樹脂）により成形されている。指掛環１１は硬度ショアＡ５０以上ショアＤ５０以下のエラストマー樹脂（弾性体）、連結部１２は硬度ショアＡ１０以上ショアＡ６０以下のエラストマー樹脂（弾性体）でそれぞれ成形されている。連結部１２は基部１０及び指掛環１１より硬度の小さい柔軟な材料で成形されているため、連結部１２は基部１０及び指掛環１１より変形し易い。また、指掛環１１は基部１０より硬度の小さい柔軟な材料で成形されているため、指掛環１１は基部１０より変形（変態）し易い。なお、指掛環１１の硬度を基部１０の硬度と等しくしてもよい。
【００３４】
前記連結部１２は、指掛環１１の外周全体でその指掛環１１に沿って成形され、基部１０の外面１０ｃと指掛環１１の内側部分１１ｂとの間でそれらに沿う内側部分２４（介在部）と、その内側部分２４に対する反対側で指掛環１１の外側部分１１ｃに沿う外側部分２５と、その内側部分２４と外側部分２５との間で基部１０の上端部１０ｅに隣接して指掛環１１の上側部分１１ｄに沿う上側部分２６と、その内側部分２４と外側部分２５との間で基部１０の下端部１０ｆに隣接して指掛環１１の下側部分１１ｅに沿う下側部分２７とを有している。この基部１０と連結部１２の内側部分２４と指掛環１１の内側部分１１ｂと指掛孔１１ａと指掛環１１の外側部分１１ｃと連結部１２の外側部分２５とは順次並んでいる。
【００３５】
図１（ｂ）に示すように、指掛環１１の外周全体（内側部分１１ｂと外側部分１１ｃと上側部分１１ｄと下側部分１１ｅ）でその厚み方向両面間範囲に連結部１２（内側部分２４と外側部分２５と上側部分２６と下側部分２７）の厚み方向両面が配置されて、その指掛環１１の外周全体と連結部１２との間で僅かな段差部２８が形成されている。この連結部１２の下側部分２７には指掛部２７ａが指掛環１１の下側部分１１ｅにおける切欠凹部２２に沿って形成されている。この連結部１２の上側部分２６には、指掛部２９が形成されているとともに、この指掛部２９と指掛環１１の上側部分１１ｄとの間で両凹み３０により薄肉部３１が形成されている。この薄肉部３１に代えて貫通孔や空洞などを形成してもよい。前記基部１０の突条部１５及び指掛環１１の突条部２３は連結部１２内に埋設され、この突条部１５の両小孔１５ａ内にも連結部１２の樹脂が充填されているため、基部１０及び指掛環１１と連結部１２との間の接触面積を増やし、それらの間の密着性を向上させたり結合強度を高めることができる。
【００３６】
前記基部１０の係止孔１４における蓋孔１４ｃにも連結部１２の樹脂が充填されてロックピン２１の頭部２１ｂを閉塞する蓋部３２（抑制部）が形成されている。図１０（ａ）（ｂ）に示すように、ドライバー３３などによりロックピン２１の頭部２１ｂに対する反対側からロックピン２１の軸部２１ａを強く押すと、ロックピン２１の頭部２１ｂでこの蓋部３２が押されて舌片状にめくれ上がり、ロックピン２１を係止孔１４，１９から離脱させることができる。そのため、図１０（ｃ）に示すように、ロックピン２１を係止孔１４，１９から離脱させて刃体３，４の基端部３ａ，４ａを支持孔１３から離脱させ、把持部８，９と刃体３，４とを互いに分離することができる。従って、刃体３，４と把持部８，９とを分別廃棄することができる。
【００３７】
本実施形態は下記の効果を有する。
（１）  洋鋏の把持部８，９において、刃体３，４を取着した基部１０に対し指掛環１１は弾性変形し易い連結部１２を介して連結されている。従って、手指の大きさや使い方の異なる使用者に応じて、使用者の使い勝手を考慮した任意の設計により指掛環１１の感触や操作性を維持した場合にも、基部１０に対する指掛環１１の動きを連結部１２により維持したまま、指掛環１１に触れた指の感触や操作性に変化を持たせて、より一層使い勝手を良くすることができる。本実施形態では、指掛環１１の指掛孔１１ａに指を入れてその内側部分１１ｂや外側部分１１ｃや上側部分１１ｄや下側部分１１ｅを指で押圧すると、それらと並んで連結された連結部１２の内側部分２４や外側部分２５や上側部分２６や下側部分２７が指掛環１１とともに弾性変形し、指掛環１１を使用者の好みに合わせた任意の設計にした場合でも、基部１０に対する指掛環１１の動きを維持してより一層使い勝手を良くすることができる。なお、それらの外側部分１１ｃ，２５を指掛孔１１ａ側へ押圧すると、それらの外側部分１１ｃ，２５は、比較的小さな力で指掛孔１１ａ側へ大きく突出するように湾曲し、その押圧解除により弾性復帰する。
【００３８】
（２）  互いに分離して成形した基部１０と指掛環１１とを金型のキャビティにセットし、そのキャビティには前述した連結部１２を成形するエラストマー樹脂を注入して、前記把持部８，９を有する柄６，７を容易に製造することができる。
【００３９】
（３）  基部１０の係止孔１４と刃体３，４の係止孔１９とにロックピン２１を挿着し、その係止孔１４の蓋孔１４ｃにも連結部１２の樹脂を充填してロックピン２１の頭部２１ｂを蓋部３２で閉塞したので、ドライバー３３などによりロックピン２１の頭部２１ｂに対する反対側からロックピン２１の軸部２１ａを強く押してロックピン２１の頭部２１ｂでこの蓋部３２を舌片状にめくり上げれば、ロックピン２１の頭部２１ｂが開放され、ロックピン２１を係止孔１４，１９から離脱させて、把持部８，９と刃体３，４とを互いに分離して分別廃棄することができる。
【００４０】
前記実施形態以外にも例えば下記のように構成してもよい。
・  基部１０に対し指掛環１１を回動可能な連結部で変位させるようにしてもよい。
・  基部１０と指掛環１１の内側部分１１ｂとの間にコイルばねや板ばねなどの弾性体を連結部として介在させることができる。
【００４１】
・  連結部１２を基部１０と指掛環１１の内側部分１１ｂとの間にのみ介在させることができる。
・  連結部１２を基部１０と指掛環１１の上側部分１１ｄ及び下側部分１１ｅとの間にのみ介在させ、基部１０と指掛環１１の内側部分１１ｂとの間には空隙を設けてもよい。
【００４２】
・  基部１０と指掛環１１とを一体成形して基部１０と指掛環１１の内側部分１１ｂとの間を薄肉部で繋ぎ、指掛環１１の外周全体に連結部１２を成形して連結部１２内にその薄肉部を埋設してもよい。
【００４３】
・  刃体３，４の基端部３ａ，４ａを基部１０内及び連結部１２内に挿着してもよい。
・  ドライバー３３などにより蓋部３２を舌片状にめくり上げて、ロックピン２１を係止孔１４，１９から離脱させてもよい。
【００４４】
・  本実施形態にかかる洋鋏以外に、和鋏や、鋏以外のナイフや彫刻刀や包丁やカッターナイフや医療用刃物や剃刀などの各種手動利器の柄に本発明を応用することができる。
【符号の説明】
【００４５】
１，２…刀身、３，４…刃体（機能部）、６，７…柄、８，９…指掛環（把持部）、１０…基部、１１…指掛環（指当部）、１２…連結部、１４…基部の係止孔、１９…刃体の係止孔、２１…ロックピン（ロック部材）、２４…連結部の介在部、３２…連結部の蓋部（抑制部）。
【図１】
2011182820.tif 000003
【図２】
2011182820.tif 000004
【図３】
2011182820.tif 000005
【図４】
2011182820.tif 000006
【図５】
2011182820.tif 000007
【図６】
2011182820.tif 000008
【図７】
2011182820.tif 000009
【図８】
2011182820.tif 000010
【図９】
2011182820.tif 000011
【図１０】
2011182820.tif 000012